(57)【要約】  本発明は、機能性インプラントに関する。このために、本発明は、取付具の上部に橋脚歯がボルトによって締め付けられ、橋脚歯にクラウンが結合された機能性インプラントにおいて、クラウンは、上部が凹んだクラウン胴体の内部に下部が開放された橋脚歯嵌入溝が形成され、橋脚歯嵌入溝の内側壁に結合ガイド部が形成されるが、結合ガイド部は、内側壁に傷付き面が形成されてシリカ層が貼着され、シリカ層にジルコニアプライマー層が塗布され、ジルコニアプライマー層にレジンが貼着されることを特徴とする。このため、本発明は、クラウンが橋脚歯に螺着方式または接合方式ではなく、嵌合方式によって着脱自在に結合されることにより、手軽に取り外されて修理および校正が円滑に行われ、クラウンが切削によって誤差が減るように成形されて適合性および受動性が十分に確保される。【選択図】図３
2015536704.tif 000002
【特許請求の範囲】
【請求項１】
取付具（３０）の上部に橋脚歯（２０）がボルトによって締め付けられ、前記橋脚歯（２０）にクラウン（１０）が結合された機能性インプラント（Ａ）において、前記クラウン（１０）は、上部が凹んだクラウン胴体（１１）の内部に下部が開放された橋脚歯嵌入溝（１２）が形成され、前記橋脚歯嵌入溝（１２）の内側壁（１２１）に結合ガイド部（１３）が形成されるが、前記結合ガイド部（１３）は、前記内側壁（１２１）に傷付き面（１３１）が形成されてシリカ層（１３２）が貼着され、前記シリカ層（１３２）にジルコニアプライマー層（１３３）が塗布され、前記ジルコニアプライマー層（１３３）にレジン（１３４）が貼着されることを特徴とする機能性インプラント。
【請求項２】
前記結合ガイド部（１３）が形成された橋脚歯嵌入溝（１２）は、上部に緩衝部（１４）が形成されるが、前記緩衝部（１４）は、中央の下部に傾斜した上部傾斜面（１４１）の下部に形成された空間（１４２）からなることを特徴とする請求項１に記載の機能性インプラント。
【請求項３】
前記緩衝部（１４）の空間（１４２）は、０．０３〜０．０５ｍｍの高さを有するように形成されることを特徴とする請求項２に記載の機能性インプラント。
【請求項４】
前記結合ガイド部（１３）に形成された橋脚歯嵌入溝（１２）は、長孔状を有するように形成されることを特徴とする請求項１または請求項２に記載の機能性インプラント。
【請求項５】
前記橋脚歯嵌入溝（１２）の緩衝部（１４）は、上部傾斜面（１４１）の他方の側に外側の下部に傾斜した補強部（１４３）が形成されることを特徴とする請求項１に記載の機能性インプラント。
【請求項６】
前記結合ガイド部（１３）付き橋脚歯嵌入溝（１２）は、入口側に引掛爪（１５）が形成されるが、前記引掛爪（１５）は、前記橋脚歯嵌入溝（１２）の入口側の周縁部に水平引掛部（１５１）が外側に向かって形成され、前記水平引掛部（１５１）の周縁部に外側の下部に広くなるように傾斜した傾斜引掛部（１５２）が一体に形成されることを特徴とする請求項１に記載の機能性インプラント。
【請求項７】
前記橋脚歯（２０）は、段差孔（２１１）が垂直に貫通された橋脚歯胴体（２１）の上部に前記橋脚歯嵌入溝（１２）に形成された緩衝部（１４）の上部傾斜面（１４１）と同じ形状を有する下部傾斜面（２２）が形成され、前記橋脚歯胴体（２１）の下部には前記橋脚歯嵌入溝（１２）の下部に形成された引掛爪（１５）に突き当てられる受止爪（２３）が形成され、前記橋脚歯胴体（２１）の下部に先細まり状の取付具嵌入片（２４）が一体に形成されることを特徴とする請求項１に記載の機能性インプラント。
【請求項８】
前記取付具（３０）は、下部が先細まりとなる円柱状の取付具胴体（３１）の外周縁部にねじ山（３１１）が形成され、前記取付具胴体（３１）の上部に先細まり状の溝（３２）が形成され、前記先細まり状の溝（３２）の中央に雌ねじ（３３）が形成されることを特徴とする請求項１に記載の機能性インプラント。
【発明の詳細な説明】
【技術分野】
【０００１】
本発明は、機能性インプラントに係り、より詳しくは、クラウン胴体の内側壁に形成された傷付き面にシリカ層とジルコニアプライマー層およびレジンが貼着されてなる結合ガイド部を有する橋脚歯嵌入溝が形成されたクラウンが橋脚歯によって着脱自在に結合されるようにした機能性インプラントに関する。
【背景技術】
【０００２】
一般に、インプラント（Ｉｍｐｌａｎｔ）は、喪失した歯芽の歯根に代わり得るように人体に拒否反応のない材質で製作した人工歯根を歯が抜かれた歯槽骨に植立して  癒着させた後に連結柱とともに人工歯芽を固定して歯芽の元の機能が修復されるようにしたものである。
インプラント施術は、歯が抜かれた歯槽骨に癒着される人工歯根と、人工歯根の一方の端が収容されて各所に係合されて回動が防止される連結柱と、連結柱の内部に収容されて人工歯根と螺合されるスクリューと、連結柱の先端に結束される人工歯芽と、を所定の順序に従って施術して行う。
人工歯芽を支持する連結柱は、人工歯根に収容される部分に傾斜面が形成されて人工歯根に緊密に係合された状態でスクリューによって結束されるため、人工歯芽を交換しなければならない場合、人工歯根からスクリューを取り外しても互いに緊密に係合された傾斜面が取り外され難く、連結柱を取り外すのに長時間がかかって施術時間が遅延されるという問題がある。
【０００３】
また、取り外し難い連結柱は、やっとこなどの工具を用いて引っ張るなどして取り外すため、ともすれば歯が抜かれた歯芽と周りの歯芽の衝撃が伝わってさらなる歯芽の損傷を招いてしまうという別の問題がある。
さらに、インプラントの施術中に連結柱を人工歯根に結束するためのスクリューを一つ一つに連結柱に嵌め込んだ後に締め付けなければならないという煩雑さがあり、しかも、連結柱を取り外すときにスクリューが離脱して紛失する虞があるという問題がある。
このような人工歯芽は、印象採取（型取り）によって製作された石膏モデルがピンワーク（Ｐｉｎ−ｗｏｒｋ）過程によって切断された後にワックスアップ（Ｗａｘ−ｕｐ）過程によって成形しようとする人工歯芽の形状およびサイズを有するワックス模型を得、次いで、ワックス模型を取り囲む埋没材が硬化すれば、これからワックスモデルを物理的に除去して鋳型を形成するインベストメント（Ｉｎｖｅｓｔｍｅｎｔ）過程を経た後に鋳型に溶液を注入して人工歯芽が鋳造によって成形され、鋳造された人工歯芽の表面の酸化物を除去するポリシング（Ｐｏｌｉｓｈｉｎｇ）過程によって得られる。
【０００４】
このような過程によって得られた人工歯芽は、次いで、連結柱に螺合方式または接合方式を用いて固定する過程によってインプラントが施術される。
しかしながら、人工歯芽の鋳造は、患者の口腔内で印象（型）を採取する場合、実際にそのまま印象（型）を採取し難いため誤差が発生し、このような誤差は、後続過程であるモデル製作、ピンワーク過程、ワックスアップ過程、インベストメント過程および鋳造、ポリシング過程でも発生するため、適合性（Ｆｉｔｎｅｓｓ）および受動性（Ｐａｓｓｉｖｉｔｙ）が確保されず、その結果、インプラント施術後に人工歯芽が脱落されるという問題があった。
また、人工歯芽が鋳造など複雑な過程によって製作されるため長時間がかかり、患者に不便さを与えるという別の問題があった。
さらに、人工歯芽が連結柱に螺合方式や接合方式によって結合されるが、螺合方式はインプラントの施術後に繰り返し咀嚼作用をすれば人工歯芽に働く側方力および咬合力（垂直圧、側方圧、回転圧）によってスクリューが次第に緩んだり破損したりするという問題があり、接合方式はインプラント施術後に修理／校正または周りの歯芽にインプラントを拡大することが容易ではないという問題があった。
【発明の概要】
【発明が解決しようとする課題】
【０００５】
本発明の目的は、連結柱としての橋脚歯に結合された人工歯芽としてのクラウンが嵌合方式によって着脱自在に結合されることにより、クラウンが取り外し易く、修理および校正が円滑に行われ、これにより、周りの歯芽に加えられる衝撃が低減されてさらなる損傷が防止され、しかも、クラウンが切削によって成形されることにより、誤差が減って適合性および受動性が確保され、これにより、施術後にクラウンが取り外されることが防げて寿命が延びる機能性インプラントを提供するところにある。
【課題を解決するための手段】
【０００６】
上記の目的を達成するための本発明に係る機能性インプラントは、取付具（フィクスチャ）３０の上部に橋脚歯２０がボルトによって締め付けられ、橋脚歯２０にクラウン１０が結合された機能性インプラントＡにおいて、クラウン１０は、上部が凹んだクラウン胴体１１の内部に下部が開放された橋脚歯嵌入溝１２が形成され、橋脚歯嵌入溝１２の内側壁１２１に結合ガイド部１３が形成されるが、結合ガイド部１３は、内側壁１２１に傷付き面１３１が形成されてシリカ層１３２が貼着され、シリカ層１３２にジルコニアプライマー層１３３が塗布され、ジルコニアプライマー層１３３にレジン１３４が貼着されることを特徴とする。
【０００７】
また、結合ガイド部１３が形成された橋脚歯嵌入溝１２は、上部に緩衝部１４が形成されるが、緩衝部１４は、中央の下部に傾斜した上部傾斜面１４１の下部に形成された空間１４２からなることを特徴とする。
さらに、緩衝部１４の空間１４２は、０．０３〜０．０５ｍｍの高さを有するように形成されることを特徴とする。
【０００８】
さらに、結合ガイド部１３に形成された橋脚歯嵌入溝１２は、長孔状を有するように形成されることを特徴とする。
さらに、橋脚歯嵌入溝１２の緩衝部１４は、上部傾斜面１４１の他方の側に外側の下部に傾斜した補強部１４３が形成されることを特徴とする。
さらに、結合ガイド部１３が形成された橋脚歯嵌入溝１２は、入口側に引掛爪１５が形成されるが、引掛爪１５は、橋脚歯嵌入溝１２の入口側の周縁部に水平引掛部１５１が外側に向かって形成され、水平引掛部１５１の周縁部に外側の下部に広くなるように傾斜した傾斜引掛部１５２が一体に形成されることを特徴とする。
【０００９】
さらに、橋脚歯２０は、段差孔２１１が垂直に貫通された橋脚歯胴体２１の上部に橋脚歯嵌入溝１２に形成された緩衝部１４の上部傾斜面１４１と同じ形状を有する下部傾斜面２２が形成され、橋脚歯胴体２１の下部には橋脚歯嵌入溝１２の下部に形成された引掛爪１５に突き当てられる受止爪２３が形成され、橋脚歯胴体２１の下部に先細まり状の取付具嵌入片２４が一体に形成されることを特徴とする。
さらに、取付具３０は、下部が先細まりとなる円柱状の取付具胴体３１の外周縁部にねじ山３１１が形成され、取付具胴体３１の上部に先細まり状の溝３２が形成され、先細まり状の溝３２の中央に雌ねじ３３が形成されることを特徴とする。
【発明の効果】
【００１０】
本発明は、クラウン胴体の内側壁に形成された傷付き面にシリカ層とジルコニアプライマー層およびレジンが貼着されてなる結合ガイド部を有する橋脚歯嵌入溝が形成されたクラウンが橋脚歯に螺合方式または接合方式ではなく、嵌合方式によって着脱自在に結合されることから、クラウンが取り外され易くて修理および校正が円滑に行われるという効果がある。
また、クラウンが取り外され易いことから、クラウンを取り外す過程で周りの歯芽に加えられる衝撃が低減されてさらなる歯芽の損傷を防がれるという効果がある。
さらに、クラウンが鋳造ではなく、切削によって成形されることから、誤差が減って適合性および受動性が十分に確保されるという効果がある。
加えて、適合性および受動性が十分に確保されることから、施術後にクラウンが取り外されることが防がれて寿命が延びるという効果がある。
【図面の簡単な説明】
【００１１】
【図１】本発明に係る機能性インプラントの分解斜視図である。
【図２】本発明に係る機能性インプラントの底面の分解斜視図である。
【図３】本発明に係る機能性インプラントを分離して示す縦断面図である。
【図４】本発明に係る機能性インプラントが施術された状態を切り欠いて示す斜視図である。
【図５】本発明に係る機能性インプラントが施術された状態を示す縦断面図である。
【発明を実施するための形態】
【００１２】
以下、添付図面に基づき、本発明の実施形態による機能性インプラントについて説明する。
本発明に係る機能性インプラントＡは、図１から図５に示したとおり、歯槽骨６０に形成された抜歯孔６１に取付具３０が螺合され、螺合された取付具３０の上部に橋脚歯２０の下部が嵌め込まれてボルトＢによって締め付けられ、ボルトＢによって締め付けられた橋脚歯２０にクラウン１０が着脱自在に結合されている。
【００１３】
ここで、クラウン１０は、既存に人工歯芽と同じ形状を有するように切削によって形成されたものであり、クラウン胴体１１の内部に下部が開放された橋脚歯嵌入溝１２が形成されている。
このようなクラウン１０は、ジルコニア（Ｚｉｒｃｏｎｉａ；ＺｒＯ２）製のものであり、上部は中央に凹んだ形状を有するように形成され、橋脚歯嵌入溝１２は、後述する橋脚歯胴体２１が嵌め込まれて前後、左右など任意の方向に遊動が発生することを防ぐとともに、上部から働く力、すなわち、食物を咀嚼するときに発生する衝撃力が緩衝され、さらに、リムーバーを用いて橋脚歯胴体２１から手軽に着脱されて修理と校正および掃除が容易に行われる。
このために、クラウン１０の橋脚歯嵌入溝１２は、内側壁１２１に所定の厚さを有する結合ガイド部１３が形成されている。
【００１４】
結合ガイド部１３は、内側壁１２１の表面に形成された傷付き面１３１にシリカ層１３２が貼着され、貼着されたシリカ層１３２にジルコニアプライマー層１３３が塗布され、ジルコニアプライマー層１３３にレジン１３４が順次に貼着されるように構成されている。
傷付き面１３１は、シリカ層１３２が貼着される過程で接着力を高めるためのものであり、スクリプチャーによって形成され、このような傷付き面１３１は約１１０μの大きさを有するスクリプチャーによって形成されることがさらに好ましい。
シリカ層１３２は、シラン粉がプロパンガスと混合された状態でシリカの炎によって溶融されながら塗布されるようにする。
【００１５】
ジルコニアプライマー層１３３は、シリカ層１３２の表面に貼着されるレジン１３４の接着率または貼着率を高めるためのものである。
レジン１３４は、ウレタンや長石が含有されたものであり、収縮や膨張現象が発生しないため、橋脚歯胴体２１にクラウン１０が結合された状態で遊動が発生することが防がれるとともに、水が浸み込まない。
このような橋脚歯嵌入溝１２の咬合面であるアングル（咬合される面）は、１〜１．５ｍｍであって、２°を有するようにミリングによって切削され、内側壁１２１は０°を有するようにミリングによって切削される。
【００１６】
結合ガイド部１３が形成された橋脚歯嵌入溝１２は、上部に咬合面である緩衝部１４が形成され、緩衝部１４は、中央の下部に傾斜した上部傾斜面１４１の下部に空間１４２を形成する。このような緩衝部１４の空間１４２は、０．０３〜０．０５ｍｍの高さを有して約３０〜５０μｔｏｎの空気圧が提供されることが好ましい。すなわち、食物を咀嚼するときに発生する圧力が緩衝部１４を形成するチャンバ状の空間１４２によって緩衝される。
橋脚歯嵌入溝１２の緩衝部１４は、上部傾斜面１４１の他方の側に外側の下部に傾斜した補強部１４３が形成されて食物を咀嚼するときに発生する側圧力に対抗することができる。
結合ガイド部１３に形成された橋脚歯嵌入溝１２は長孔状を有するように形成されて前後、左右および多方向に遊動が発生することを防ぐ。
【００１７】
一方、結合ガイド部１３が形成された橋脚歯嵌入溝１２は、入口側に後述する橋脚歯胴体２１の受止爪２３に引っ掛かる引掛爪１５が形成されて所定の限度以上にクラウン１０が下部に移動されることを防ぐ。
このような引掛爪１５は、橋脚歯嵌入溝１２の入口側の周縁部に水平引掛部１５１が外側に向かって形成されてクラウン１０が下部に押されることを防ぐとともに、水平引掛部１５１の周縁部に外側の下部に広がるように傾斜した傾斜引掛部１５２が一体に形成されてクラウン１０の中心がずれることをさらに防ぐ。
【００１８】
橋脚歯２０は、取付具３０の上部にクラウン１０を着脱自在に結合するものであり、このような橋脚歯２０は、段差孔２１１が垂直に貫通された橋脚歯胴体２１の上部に橋脚歯嵌入溝１２に形成された緩衝部１４の上部傾斜面１４１と同じ形状を有する下部傾斜面２２が形成されている。
橋脚歯胴体２１の下部には、橋脚歯嵌入溝１２の下部に形成された引掛爪１５に突き当てられる受止爪２３が形成されている。
橋脚歯胴体２１の下部には、先細まり状の取付具嵌入片２４が一体に形成されて後述する取付具３０に形成された先細まり状の溝３２に自動的に中心が一致された状態で結合される。
【００１９】
取付具３０は、歯槽骨６０の抜歯孔６１に嵌入するものであり、下部が先細まりとなる円柱状の取付具胴体３１の外周縁部にねじ山３１１が形成されている。
取付具胴体３１の上部に先細まり状の溝３２が形成されて橋脚歯胴体２１下部に形成された取付具嵌入片２４が手軽に載置または嵌入する。
先細まり状の溝３２の中央には雌ねじ３３が形成されて橋脚歯胴体２１に形成された段差孔２１１を介して挿通されたボルトＢが螺合されることにより、橋脚歯２０が強固に固定される。
【００２０】
このようなインプラントＡは、歯槽骨６０に形成された抜歯孔６１に取付具３０の外部に形成されたねじ山３１１によって結合された後、橋脚歯２０の橋脚歯胴体２１の下部に形成された取付具嵌入片２４が先細まり状の溝３２に載置される。このとき、先細まり状の溝３２の傾斜によって橋脚歯２０の取付具嵌入片２４が自動的に中心が一致するように嵌入する。
次いで、ボルトＢが段差孔２１１を貫通して取付具胴体３１に形成された雌ねじ３３に螺合されることにより、橋脚歯２０が結合される。
次いで、橋脚歯２０の橋脚歯胴体２１にクラウン１０に形成された橋脚歯嵌入溝１２が嵌入することにより、インプラントＡが施術される。
一方、このような過程を経て施術されたインプラントＡを取り外して修理、校正および掃除をしようとする場合、リムーバーを用いてクラウン１０を垂直方向に引っ張ると、橋脚歯２０からクラウン１０が取り外され易いので、修理、校正および掃除をした後に再び結合すればよい。
【００２１】
Ａ：インプラント
Ｂ：ボルト
１０：クラウン
１１：クラウン胴体
１２：橋脚歯嵌入溝
１３：結合ガイド部
１４：緩衝部
１５：引掛爪
２０：橋脚歯
２１：橋脚歯胴体
２２：下部傾斜面
２３：受止爪
２４：取付具嵌入片
３０：取付具
３１：取付具胴体
３２：先細まり状の溝
３３：雌ねじ
６０：歯槽骨
６１：抜歯孔
１２１：内側壁
１３１：傷付き面
１３２：シリカ層
１３３：ジルコニアプライマー層
１３４：レジン
１４１：上部傾斜面
１４２：空間
１４３：補強部
１５１：水平引掛部
１５２：傾斜引掛部
２１１：段差孔
３１１：ねじ山
【図１】
2015536704.tif 000003
【図２】
2015536704.tif 000004
【図３】
2015536704.tif 000005
【図４】
2015536704.tif 000006
【図５】
2015536704.tif 000007
【国際調査報告】
2015536704.tif 000008
2015536704.tif 000009
2015536704.tif 000010
2015536704.tif 000011